(57)【要約】【課題】  イベントの時期的要件を、携帯電話器を使用して、最適なタイミングで的確に伝えることが可能な情報提供システムを提供する。【解決手段】  イベントに関する情報が含まれた２次元コード３を読み取って解読し、解読した情報に含まれている時期的要件を知らせるのに最適なアラームタイミングを監視し、そのアラームタイミングにおいてアラームを発する。【選択図】      図１
2006093876.tif 000002
【特許請求の範囲】
【請求項１】
イベントに関する情報が含まれた２次元コードを提供する手段と、
前記２次元コードを読み取って解読し、解読した情報に含まれている時期的要件を知らせるのに最適なアラームタイミングにおいてアラームを発する携帯端末と、
を備えたことを特徴とする情報提供システム。
【請求項２】
イベントに関する情報が含まれた２次元コードを提供する手段と、
前記２次元コードの読み取りおよびその読み取り結果に応じた処理を実行するためのアプリケーションプログラムが記憶されたサーバと、
前記サーバから前記アプリケーションプログラムを受信する受信手段を有し、この受信手段で受信したアプリケーションプログラムに基づいて、前記バーコードを読み取って解読し、解読した情報に含まれている時期的要件を知らせるのに最適なアラームタイミングを監視し、そのアラームタイミングにおいてアラームを発する携帯端末と、
を備えたことを特徴とする情報提供システム。
【請求項３】
前記アラームタイミングは、イベントのチケットの予約または販売が開始される直前のタイミングである、
前記アラームは、イベントのチケットの予約または販売の開始が迫っていることを携帯端末の使用者に知らせるための表示および音である、
ことを特徴とする請求項１または請求項２に記載の情報提供システム。
【発明の詳細な説明】
【技術分野】
【０００１】
この発明は、携帯端末を使い、その携帯端末の使用者に情報を提供する情報提供システムに関する。
【背景技術】
【０００２】
コンサート、映画、演劇、公演等のイベントに関しては、イベントの実施前にチケットの予約や販売が行われる。この予約や販売については、雑誌やＷｅｂサイトなどで知ることができる。
【発明の開示】
【発明が解決しようとする課題】
【０００３】
イベントチケットの予約や販売のとくに開始時期については、一旦は雑誌で把握しても、そのうち、忘れることが多い。その場合、希望のチケットを入手できなくなってしまう。とくに、人気のあるチケットは、予約や販売が始まってすぐに売り切れとなってしまい、手に入れることが難しい。
【０００４】
この発明は、上記の事情を考慮したもので、イベントの時期的要件を、携帯端末を使用して、最適なタイミングで的確に伝えることが可能な情報提供システムを提供することを目的としている。
【課題を解決するための手段】
【０００５】
請求項１に係る発明の情報提供システムは、イベントに関する情報が含まれた２次元コードを提供する手段と、上記２次元コードを読み取って解読し、解読した情報に含まれている時期的要件を知らせるのに最適なアラームタイミングにおいてアラームを発する携帯端末と、を備えている。
【０００６】
請求項２に係る発明の情報提供システムは、イベントに関する情報が含まれた２次元コードを提供する手段と、上記２次元コードの読み取りおよびその読み取り結果に応じた処理を実行するためのアプリケーションプログラムが記憶されたサーバと、上記サーバから前記アプリケーションプログラムを受信する受信手段を有し、この受信手段で受信したアプリケーションプログラムに基づいて、上記バーコードを読み取って解読し、解読した情報に含まれている時期的要件を知らせるのに最適なアラームタイミングを監視し、そのアラームタイミングにおいてアラームを発する携帯端末と、を備えている。
【０００７】
請求項３に係る発明の情報提供システムは、アラームタイミングおよびアラームについて限定している。アラームタイミングは、イベントのチケットの予約または販売が開始される直前のタイミングである。アラームは、イベントのチケットの予約または販売の開始が迫っていることを携帯端末の使用者に知らせるための表示および音である。
【発明の効果】
【０００８】
この発明の情報提供システムによれば、イベントの時期的要件を、携帯端末を使用して、最適なタイミングで的確に伝えることができる。
【発明を実施するための最良の形態】
【０００９】
以下、この発明の一実施形態について図面を参照しながら説明する。  
図１において、情報提供企業１は、イベントに関する情報を提供するところで、出版物たとえば雑誌２を出版して市場に出荷および販売するとともに、インターネットによる外部からのアクセスが可能なＷｅｂサイト（ホームページともいう）を公開している。このＷｅｂサイトは、端末たとえばパーソナルコンピュータ４からのアクセスによって見ることができる。この際、情報提供企業１は、アプリケーション提供企業１０から予め一般公開されているデータ構造の仕様に基づいて図２に示すようなマトリックス式の２次元コード（ＱＲコードともいう）３を生成し、生成した２次元コード３を雑誌２の任意の頁に印刷するとともにＷｅｂサイトでも公開している。２次元コード３には、イベントたとえばコンサート、映画、演劇、公演、ゴミ収集、エアロビ教室などに関する情報いわゆるイベント情報が含まれている。
【００１０】
アプリケーション提供企業１０には、サーバ１１が設置されている。このサーバ１１に、２次元コード３の読み取りおよびその読み取り結果に応じた処理を実行するためのアプリケーションプログラムが記憶されている。
【００１１】
雑誌２を購入した読者は、雑誌２に記載されている情報を通常の目視により得るとともに、自身が持っているカメラ付きの携帯端末たとえば携帯電話器２０で雑誌２の２次元コード３を読み取ることができる。また、携帯電話器２０の使用者は、情報提供企業１のＷｅｂサイトにパーソナルコンピュータ４でアクセスすることにより、そのＷｅｂサイト上に公開されている２次元コード３を携帯電話器２０で読み取ることもできる。
【００１２】
携帯電話器２０は、主制御部であるＣＰＵ２１、カラー液晶画面を有する表示部２２、各種キー釦からなる操作部２３、無線電話回線を介して外部とのデータ送受信を行う送受信部２４、撮像用のＣＣＤカメラ２５、制御プログラム記憶用のＲＯＭ２６、各種情報記憶用の書替可能な不揮発性メモリ２７、報知音（メロディ音など）を生成する音生成部２８、日時の経過を計測する計時部２９を有している。
【００１３】
上記送受信部２４は、アプリケーション提供企業１０のサーバ１１に記憶されているアプリケーションプログラムを受信（ダウンロード）する受信手段として使用される。上記ＣＣＤカメラ２５は、通常の写真用カメラとして使用できるほかに、雑誌２あるいはＷｅｂサイトの２次元コード３に対する読取手段として使用することができる。
【００１４】
上記ＣＰＵ２１は、本発明に関わる主要な機能として、次の（１）〜（４）の手段を有している。  
（１）送受信部２４で受信したアプリケーションプログラムに基づいて、ＣＣＤカメラ２５により、２次元コード３を読み取る読取手段。
【００１５】
（２）上記アプリケーションプログラムに基づいて、上記読取手段で読み取った情報を解読する解読手段。
【００１６】
（３）上記アプリケーションプログラムに基づいて、上記解読手段で解読した情報に含まれている時期的要件を知らせるのに最適なアラームタイミングを監視する監視手段。最適なアラームタイミングとは、例えば、イベントのチケットの予約または販売が開始される直前のタイミングのことである。
【００１７】
（４）上記アプリケーションプログラムに基づいて、上記監視手段の監視による最適なアラームタイミングにおいて、アラームを発する報知手段。アラームは、イベントのチケットの予約または販売の開始が迫っていることを携帯電話器２０の使用者に知らせるための表示および音である。
【００１８】
つぎに、図３および図４のフローチャートを参照しながら、作用について説明する。  
サーバ１１のアプリケーションプログラムがメモリ２７に記憶されているか否かが判定される（ステップ１０１）。まだ記憶されていない場合（ステップ１０１のＮＯ）、携帯電話器２０の使用者によるアプリケーションプログラムの要求操作に応じて（ステップ１０２のＹＥＳ）、携帯電話器２０がサーバ１１のダウンロード用のＷｅｂサイトに接続され、そのＷｅｂサイトのトップページが図５に示すように携帯電話器２０の表示部２２で表示される。この表示画面において、“ダウンロードする”が指定操作されると、サーバ１１内のアプリケーションプログラムが携帯電話器２０にダウンロードされる（ステップ１０３）。ダウンロードされたアプリケーションプログラムは、携帯電話器２０のメモリ２７に記憶される。
【００１９】
すでにアプリケーションプログラムが記憶されている状態（ステップ１０１のＹＥＳ）、あるいは上記のように使用者の要求操作によりアプリケーションプログラムがダウンロード（および記憶）された状態では、携帯電話器２０の操作によってアラームモードが設定された場合に（ステップ１０４のＹＥＳ）、図６に示すように、携帯電話器２０の表示部２２でアラーム機能の待ち受け画面が表示される（ステップ１０５）。このアラーム機能の待ち受け画面において、“メニュー”が選択操作されると（ステップ１０６のＹＥＳ）、図７に示すように、携帯電話器２０の表示部２２でアラーム機能のメニュー画面が表示される（ステップ１０９）。
【００２０】
なお、アラーム機能の待ち受け画面において、“終了”が選択操作された場合は（ステップ１０６のＮＯ、ステップ１０７のＹＥＳ）、アラーム機能の待ち受け画面が終了する（ステップ１０８）。この終了により、携帯電話器２０がアラームモードから通常モードに復帰する。
【００２１】
メニュー画面では、２次元コード３を読み取る“ＱＲコード読み取りモード”、アラーム情報を表示する“アラームリスト”、待ち受け画面の画像を設定するための“待ち受け画面設定”のいずれかを選択することができる（ステップ１１０，１１１，１１２）。“ＱＲコード読み取りモード”が設定されると（ステップ１１０のＹＥＳ）、携帯電話器２０のＣＣＤカメラ２５が起動される（ステップ１１４）。この起動したＣＣＤカメラ２５により、雑誌２上の２次元コード３、あるいはパーソナルコンピュータ４のディスプレイ上の２次元コード３を、読み取ることができる。すなわち、ＣＣＤカメラ２５の視野に２次元コード３を入れることにより、図８に示すように、２次元コード３が表示部２２で表示される。この状態で、読み取り操作がなされることにより、実際に２次元コード３が読み取られる。
【００２２】
２次元コード３の読み取りが完了すると（ステップ１１４のＹＥＳ）、ＣＣＤカメラ２５が停止されるとともに、読み取られた２次元コード３が解読される（ステップ１１５）。そして、図９に示すように、読み取り完了を知らせるための読み取り完了画面が表示部２２で表示される（ステップ１１６）。読み取り完了画面には、解読されたイベント情報がたとえば“７月チケット発売情報”であることを示唆する説明文が表示される。この状態で、保存操作がなされると（ステップ１１７のＹＥＳ）、解読されたイベント情報がメモリ２７内のアラームリストに加えて記憶される（ステップ１２０）。仮に、取り消し操作がなされた場合は（ステップ１１７のＮＯ、ステップ１１８のＹＥＳ）、上記待ち受け画面の表示に復帰する（ステップ１０５）。この復帰に伴い、読み取られた情報および解読されたイベント情報が消去される。
【００２３】
イベント情報がメモリ２７内のアラームリストに加えられるのに伴い、アラームリストの内容が図１０のように表示部２２で表示される（ステップ１２１）。アラームリストの内容として、今回読み取られたイベント情報である“７月チケット発売情報”のほかに、“港区赤坂ゴミ収集日”“エアロビ教室７月”など種々のイベント情報がある。携帯電話器２０の使用者は、表示されている各イベント情報の中から、いずれか１つのイベント情報を指定することができる。
【００２４】
たとえば“７月チケット発売情報”が指定されると（ステップ１２２のＹＥＳ）、図１１に示すように、“７月チケット発売情報”の具体的内容である“Ｍｒ．ＡＢＣＤＥ7/25”や“山川海太7/18”などのイベント情報（コンサート情報）が並べて表示される。携帯電話器２０の使用者は、表示されている各イベント情報の中から、不要なものを削除したり、イベント情報のアラーム報知内容を確認・編集することができる。
【００２５】
たとえば“Ｍｒ．ＡＢＣＤＥ7/25”が指定されると（ステップ１２５のＹＥＳ）、図１２に示すように、“Ｍｒ．ＡＢＣＤＥ7/25”のアラーム報知に関する編集画面が表示部２２で表示される（ステップ１２７）。この編集画面において、“アラーム設定”の項目が選択されると（ステップ１２８のＹＥＳ）、“Ｍｒ．ＡＢＣＤＥ7/25”に含まれている時期的要件つまりチケットの予約開始日時や販売開始日時を知らせるのに最適なアラームタイミングが計時部２９を通して監視される（ステップ１２９）。最適なアラームタイミングとは、予約開始時刻や販売開始時刻の直前たとえば５分前のタイミングである。
【００２６】
最適なアラームタイミングになると（ステップ１３０のＹＥＳ）、図１３に示すように、予約開始が迫っていることを知らせるためのアラーム表示画面が表示部２２で表示されるとともに、予約開始が迫っていることを知らせるためのアラーム音たとえばメロディ音が音生成部２８から発せられる（ステップ１３１）。携帯電話器２０の使用者は、このアラーム表示およびアラーム音により、チケットの予約開始がすぐであることを的確に把握することができる。アラーム画面には、ネットワークを介して予約をするためのＷｅｂサイトアドレスの表示が含まれている。このＷｅｂサイトアドレスに携帯電話器２０からアクセスすることにより、予約を完了することができる。
【００２７】
アラーム表示画面において、終了操作がなされると（ステップ１３２のＹＥＳ）、アラーム表示およびアラーム音発生が終了する（ステップ１３３）。
【００２８】
アラーム表示画面において、再通知操作がなされると（ステップ１３２のＮＯ、ステップ１３４のＹＥＳ）、アラーム表示およびアラーム音発生が終了するとともに（ステップ１３５）、計時部２９でタイムカウントｔが開始される（ステップ１３６）。タイムカウントｔが一定時間ｔ１に達すると（ステップ１３７のＹＥＳ）、タイムカウントｔがクリアされて（ステップ１３８）、再び、アラーム表示およびアラーム音発生が繰り返される（ステップ１３１）。
【００２９】
なお、ステップ１２１のアラームリストの表示画面において、“メニュー”が選択操作されると（ステップ１２２のＮＯ、ステップ１２３のＹＥＳ）、メニュー画面の表示に復帰する（ステップ１０９）。ステップ１２４のイベント情報の表示画面においても、“メニュー”が選択操作された場合に（ステップ１２５のＮＯ、ステップ１２６のＹＥＳ）、メニュー画面の表示に復帰する（ステップ１０９）。
【００３０】
メニュー画面において、“アラームリスト”が選択操作されると（ステップ１１１のＹＥＳ）、アラームリストの内容が表示される（ステップ１２１）。メニュー画面において、“待ち受け画面設定”が選択されると（ステップ１１２のＹＥＳ）、携帯電話器２０内にある任意の画像を選択し待ち受け画像として設定できる（ステップ１０５）。
【００３１】
以上のように、イベントに関する情報が含まれた２次元コードを読み取って解読することで、解読した情報に含まれている時期的要件を知らせるのに最適なアラームタイミングを監視し、そのアラームタイミングにおいてアラームを発するようにしたので、イベントの時期的要件を、携帯電話器２０を使用して、最適なタイミングで的確に伝えることができる。よって、希望のチケットを確実に入手することが可能となる。
【００３２】
なお、上記実施形態では、イベントがコンサートである場合を例に説明したが、コンサートに限らず、種々のイベントへの対応が可能であり、いずれのイベントに関しても適切な時期的対処が可能となる。  
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００３３】
【図１】一実施形態の構成を示すブロック図。
【図２】一実施形態における２次元コードの例を示す図。
【図３】一実施形態の作用を説明するためのフローチャート。
【図４】図３に続くフローチャート。
【図５】一実施形態におけるダウンロード用のＷｅｂサイトのトップ画面を示す図。
【図６】一実施形態におけるアラーム機能の待ち受け画面を示す図。
【図７】一実施形態におけるアラーム機能のメニュー画面を示す図。
【図８】一実施形態における２次元コードの読み取り時の表示画面を示す図。
【図９】一実施形態における読み取り完了画面を示す図。
【図１０】一実施形態におけるアラームリストの表示画面を示す図。
【図１１】一実施形態における指定された各イベント情報の表示画面を示す図。
【図１２】一実施形態におけるアラーム報知に関する編集画面を示す図。
【図１３】一実施形態におけるアラーム表示画面を示す図。
【符号の説明】
【００３４】
１…情報提供企業、２…雑誌、３…２次元コード、１０…アプリケーション提供企業、１１…サーバ、２０…携帯電話器、２１…ＣＰＵ、２２…表示部、２３…操作部、２４…送受信部、２５…ＣＣＤカメラ、２６…ＲＯＭ、２７…書替可能な不揮発性メモリ、２８…音生成部、２９…計時部
【図１】
2006093876.tif 000003
【図２】
2006093876.tif 000004
【図３】
2006093876.tif 000005
【図４】
2006093876.tif 000006
【図５】
2006093876.tif 000007
【図６】
2006093876.tif 000008
【図７】
2006093876.tif 000009
【図８】
2006093876.tif 000010
【図９】
2006093876.tif 000011
【図１０】
2006093876.tif 000012
【図１１】
2006093876.tif 000013
【図１２】
2006093876.tif 000014
【図１３】
2006093876.tif 000015